(57)【要約】【課題】プラグ本体をコンセントに差し込み接続する時に、手指を挟みこむことなくしっかりと掴むことができる本体構造を有するプラグ構造を提供する。【解決手段】栓刃を所定面に備えたプラグの本体１０を、所定面を形成する第一の幅を有したベース部２０ｂ２と、第一の幅よりも大きな第二の幅を有してベース２０ｂ２に連接された内容物収容部２０ｂ１とから構成する。前記内容物収容部２０ｂ１と前記ベース部２０ｂ２との幅の違いによって形成される段差部２０ｂ３と前記内容物収容部２０ｂ１とによって、前記本体１０の把持部を形成している。【選択図】図１
2020017533.tif 000002
【特許請求の範囲】
【請求項１】
栓刃を備えた所定面を形成する第一の幅を有したベース部と、第一の幅よりも大きな第二の幅を有してベースに連接されて、負荷機器のプラグを差し込み接続するコンセントと負荷機器の絶縁劣化によって発生する漏電を検知する漏電検知部を収容した内容物収容部と、の幅の違いによって段差部が形成された本体を有するプラグに取付けられて、前記プラグの本体を支持するアタッチメントであって、
前記所定面に当接する基部と、
前記基部の両側から前記栓刃の突出方向とは反対の方向に延設される腕部とを有してアタッチメントの本体が形成されるとともに、
前記腕部の先端部において前記プラグの本体に係合する係合部と、
前記腕部の基部と係合部との間においてプラグの本体の段差部に当接してプラグの本体を支持する本体支持部とが設けられたことを特徴とするプラグのアタッチメント。
【請求項２】
請求項１において、
前記腕部の本体支持部と基部との間には、前記ベース部の前記幅方向の側面を支持するベース部の支持部が設けられたことを特徴とするプラグのアタッチメント。
【発明の詳細な説明】
【技術分野】
【０００１】
本発明は、本体に栓刃を備えたプラグのアタッチメントに関する。特に、前記栓刃から得た電力を負荷側電路に供給するコンセントを本体に併せ持つプラグにおけるアタッチメントに関する。
【背景技術】
【０００２】
造営材等に配設されたコンセントに栓刃を差し込み接続し、負荷側電路に電力を供給するプラグは周知である。一方、プラグ本体の内部に、負荷側電路への電力供給を選択的に切換えできる機能を内装したプラグは、例えば、特許文献１に開示されるような栓刃付漏電遮断器、特許文献２に開示されるような漏電保護プラグが公知である。また、プラグ本体内部に、コンセントの配線形態に対応して栓刃の数を増減できる機構を備えたプラグは、特許文献３に開示されるような２Ｐ３Ｐ兼用プラグ（２Ｐは２極、３Ｐは２極接地端子付きという）が公知である。
【０００３】
特許文献１の栓刃付漏電遮断器は、コンセントと負荷機器とを電気的に繋ぎ、当該負荷機器において漏電が発生した場合にはこれを瞬時に検知して負荷機器への通電を遮断する。特許文献２の漏電保護プラグも、特許文献１と同様のものである。
【先行技術文献】
【特許文献】
【０００４】
【特許文献１】実開昭６３−０７９０４３号公報
【特許文献２】特開２００２−２１６６１３号公報
【発明の概要】
【発明が解決しようとする課題】
【０００５】
上記したように、プラグ本体の内部に電力供給の切り替え機能や、栓刃の数を増減させる機能を備えた、付加機能を備えたプラグにおいては、これら付加機能を構成する部品等を収納させる必要があるために、プラグ本体の大きさが、前記機能を備えないプラグと比較して大きく、また、重量も重くなる傾向にある。
【０００６】
このような付加機能を備えたプラグにおいては、本体をコンセントに接続するときに、接続不良にならないようしっかりと接続する必要がある。すなわち、特許文献１、特許文献２に開示されたプラグにおいては、栓刃が配設された面がコンセントに密着し、本体の大きさと重量をサポートするように構成されている。
【０００７】
しかしながら、プラグ本体が、よりしっかりとコンセントに接続されるようにするために、接続保持を補助するアタッチメントをプラグ本体に設け、電気的な接続信頼性を向上させることが望まれる。
【０００８】
上記の点に鑑み、本発明は、プラグ本体をコンセントに差し込み接続した後も、接続信頼性を維持することができるプラグ本体のアタッチメントを提供することを目的とする。
【課題を解決するための手段】
【０００９】
本発明のプラグ構造は、栓刃を備えた所定面を形成する第一の幅を有したベース部と、第一の幅よりも大きな第二の幅を有してベースに連接されて、負荷機器のプラグを差し込み接続するコンセントと負荷機器の絶縁劣化によって発生する漏電を検知する漏電検知部を収容した内容物収容部と、の幅の違いによって段差部が形成された本体を有するプラグに取付けられて、前記プラグの本体を支持するアタッチメントであって、前記所定面に当接する基部と、前記基部の両側から前記栓刃の突出方向とは反対の方向に延設される腕部とを有してアタッチメントの本体が形成されるとともに、前記腕部の先端部において前記プラグの本体に係合する係合部と、前記腕部の基部と係合部との間においてプラグの本体の段差部に当接してプラグの本体を支持する本体支持部とが設けられたことを特徴としている。
【００１０】
これにより、プラグ本体を、アタッチメントの係合部と本体支持部の両方によって支持することができるから、プラグ本体をコンセントに差し込み接続した後も、しっかりと支持することができる。これによって、接続信頼性を維持することができるプラグ本体のアタッチメントを提供することができる。
【００１１】
また、前記腕部の本体支持部と基部との間には、前記ベース部の前記幅方向の側面を支持するベース部の支持部が設けられたことを特徴として構成してもよい。
【００１２】
これにより、さらに、プラグ本体のベース部の幅方向の側面を支持することができるから、更なに接続信頼性が向上する。
【発明の効果】
【００１３】
本発明によれば、プラグ本体をコンセントに差し込み接続した後も、接続信頼性を維持することができる。
【図面の簡単な説明】
【００１４】
【図１】本実施形態に係るプラグの外観図である。
【図２】プラグの上面から見た外観図である。
【図３】プラグ本体にアタッチメントを装着した場合の概略図である。
【図４】アタッチメントの斜視図である。
【図５】プラグ本体を分割した時の概略図である。
【図６】従来例を示した図である。
【図７】従来例を示した図である。
【発明を実施するための形態】
【００１５】
以下、本発明の実施形態を図面に基づいて詳細に説明する。以下の好ましい実施形態は、本質的に例示にすぎず、本発明、その適用範囲あるいはその用途を制限することを意図するものではない。
【００１６】
（プラグの概要）
【００１７】
まず、プラグの概要について説明を行う。本実施形態に係るプラグ１０は、造営材等に配設されたコンセント２００（区別のために一次側コンセントという）に差し込み接続されて用いられるプラグである。プラグ１０の本体には、コンセント３１、３３（区別のために二次側コンセントという）が配設されており、負荷機器等のプラグをプラグ１０の本体のコンセントに差し込み接続することによって、当該負荷機器等に電力を供給する。
【００１８】
また、プラグ１０の本体には、前記負荷機器や電気配線等の絶縁劣化によって漏電が発生した場合には、これを瞬時に検知して一次側コンセント２００からの電力の負荷機器への供給を遮断する漏電検知部と遮断機構を収容しており、プラグ１０全体として、プラグ型の漏電遮断器を構成している。特に、プラグ１０は、電圧相および中性相に接続される夫々の栓刃と、接地極に接続される栓刃（アースピンという）の全部で３つの栓刃を備えたプラグであり、上記一次側のコンセント２００が、アースピン差込穴がある３極コンセントである場合及びアースピン差込穴のない２極コンセントである場合の両方において、使用できるプラグとなっている。
【００１９】
なお、以下では、プラグ１０が一次側コンセント２００に差し込まれた状態において、手前側を向くプラグ１０の面を「前面」、コンセントと対向する面を「後面」と呼称する。プラグ１０がコンセントに差し込まれた状態を基準に、「上」、「下」、「左」、「右」の各方向を定義する。
【００２０】
図１に示すように、プラグ１０は、ユーザ（作業者）が片手手指で把持可能な大きさ（例えば１１０×５０×５５ｍｍ）の略円筒形状のプラグ本体２０を備えている。このプラグ本体２０の内部に、前記漏電検知部と遮断機構等の内容物を収容している。
【００２１】
プラグ１０の本体外形は、所定面に栓刃を備えたベース部２０ｂ２と、ベース部２０ｂ２に連接された内容物収容部２０ｂ１および２０ａとから形成される略円筒形状をしている。
【００２２】
ベース部２０ｂ２は、栓刃を備える程度の幅（例えば３０ｍｍ）を有して形成されている。また、ベース部２０ｂ２に連接する内容物収容部２０ｂ１はベース部２０ｂ２よりも大きな幅（例えば５０ｍｍ）を有して形成されている。
【００２３】
これらの幅の違いによって、プラグ１０の本体２０には、段差部２０ｂ３が形成される。この段差部２０ｂ３によって、手指の掛かり部を本体に外形形状として設けることができ、略円筒形状をした内容物収容部２０ａ、２０ｂの形状と相まって、プラグ１０の本体２０の把持部が形成される。
【００２４】
一方、段差部２０ｂ３には、栓刃の突出方向において、前記本体２０を把持する手指を収納するための手指収納部２０ｂ４が備えられる。手指収納部２０ｂ４は、ベース部２０ｂ２の左右側面部分と、内容物収容部２０ｂとの左右側面部分との凹部にて形成される。
【００２５】
内容物収容部２０における左右方向の幅の大きさに対して、ベース部２０ｂ２の左右側面の幅が小さく形成されているため、内容物収容部２０の周囲を手指で掴んだ時に、前記凹部に手指が収納される。ベース部２０ｂ２の左右側面に指先が位置し、本体２０をしっかりと掴むことができるとともに、指先がベース部２０ｂ２の後面にまで回り込むことを抑制する。
【００２６】
また、プラグ本体２０の左右側面には、内容物収容部２０ｂの一部を切欠いて形成した２０ｂ５で図示する凹部が形成される。図中において、凹部２０ｂ５は左側のものが図示されているが、右側についても上下方向、前後方向において同様の位置に凹部が形成されている。
【００２７】
プラグ本体２０は、前後方向の中央部分で前後に分離可能であり、図５ではプラグ本体２０が前後に分離された状態を示している。
【００２８】
プラグ本体２０は、前半分を構成する前カバー２０ａと後半分を構成する後カバー２０ｂとからなる。前カバー２０ａは後側に、また後カバー２０ｂは前側にそれぞれ開口した有底箱状とされている。また、前カバー２０ａの左端部に係合爪部２０ｃが設けられ、後カバー２０ｂには、係合爪部２０ｃと対応する位置に係合爪部２０ｃに係合可能な係合凹部２０ｄが設けられている。そして、両カバー２０ａ，２０ｂを各々の開口同士を突き合わせた状態で、前カバー２０ａの係合爪部２０ｃと、後カバー２０ｂの係合凹部２０ｄとを係合させる。これにより、両カバー２０ａ，２０ｂが一体的に組み付けられてプラグ本体２０となり、その内部に閉空間が形成されるようになっている。上記組み付け後、前カバー２０ａと後カバー２０ｂとは、図示しないタッピングねじにより、後カバー２０ｂの後面側の４隅においてねじ止め固定される。
【００２９】
以下、単にプラグ本体２０という場合には、上記のねじ止め固定後のプラグ本体を指すものとする。すなわち、このねじ止め固定後のプラグ本体２０は、前カバー２０ａの底壁からなる前壁部と、この前壁部の後側に配置され、後カバー２０ｂの底壁からなる後壁部と、前カバー２０ａ及び後カバー２０ｂの双方の周囲壁からなり、前壁部及び後壁部を接続する四周の側壁部とを有する。上記側壁部は、上下及び左右の壁部で構成されている。なお、覆い壁部は、前壁部及び四周の側壁部からなる。
【００３０】
漏電保護部５０は、図示しないが、漏電を検出する漏電検出部と、漏電検出部が過電流・漏電を検出したときにプラグの入出力間の接続を遮断する接続遮断部とを備えている。漏電保護部及び接続遮断部の構成は、従来技術の適用が可能であり、ここではその詳細な説明を省略する。
【００３１】
プラグ本体２０の後壁部において、上端寄りの位置には、２本の電極プラグ２９，２９及びアースプラグ２７からなる差し込みプラグ２５が突設されている。また、同じ後壁部の左下隅角部には、プラグ１０のアース端子の機能を有する圧着端子２６が設けられている。プラグ１０は、差し込みプラグ２５がコンセントに差し込まれ、かつ後述する３極コンセント部３１，３１に負荷機器のプラグが差し込まれることで、コンセントと負荷機器とを電気的に繋ぐものである。
【００３２】
プラグ本体２０の前壁部において、上下左右方向の中間位置には、プッシュ式のＯＮボタン２３及びテストボタン２４が記載順に上から並べられて設けられている。ＯＮボタン２３は、商用電力の負荷機器への供給をオンさせる（接続状態にする）スイッチである。テストボタン２４は、プラグ１０が正常動作するか（即ち、漏電発生の際に負荷機器への商用電力の供給が遮断されるか）を確かめるために、商用電力の負荷機器への供給をオフ状態（遮断状態）にするスイッチである。
【００３３】
また、プラグ本体２０の前壁部において、テストボタン２４の下側には、負荷機器等のプラグを挿入するための１つの差込口３１（３極プラグ対応）が設けられている。図示しないが、プラグ本体２０の側壁部の一部である下壁部の中央にも同様の１つの差込口が設けられている。プラグ本体２０内の下部には、両差込口３１から差し込まれた負荷機器等の電源プラグ及びアースプラグが嵌められる共通の刃受金具３２が設けられている。
【００３４】
プラグ本体２０の前壁部において、ＯＮボタン２３上側の左端寄り位置には電源表示部２１が、また右端寄りの位置には極数表示部２２がそれぞれ互いに同じ高さ位置になるように設けられている。
【００３５】
電源表示部２１は、例えばＬＥＤで構成されており、ＯＮボタン２３を押してコンセントに差し込まれたことが検知されると、すなわち、プラグ１０を介してコンセントと負荷機器等との間における通電が可能な状態になると点灯する。これにより、プラグ１０を使用するユーザは、商用電力と負荷機器とが正常に導通されていることを把握することができる。一方で、電源表示部２１は、過電流や漏電を検知した漏電保護部５０により遮断動作が行われた場合等、プラグ１０が通電不可の状態になると消灯する。これにより、ユーザは、過電流または漏電が生じたこと、又は、テストが正常に行われたことを把握することができる。
【００３６】
過電流または漏電が生じた後、及びテストボタン２４によるプラグ１０の動作確認が終了した後は、ＯＮボタン２３が再度押されることにより、プラグ１０は再び漏電検知遮断器として使用することが可能となる。
【００３７】
極数表示部２２は、差し込みプラグ２５の極数の状態を表すものであり、プラグ本体２０の前壁部に貫通形成された極数表示窓２２ａと、極数表示窓２２ａの後側のプラグ本体２０内に配された後述する色表示部４６ａとからなる。換言すると、極数表示部２２は、極数表示窓２２ａを通して色表示部４６ａの表示色が見えるように構成されている。
【００３８】
プラグ本体２０の左側壁部において、上端寄りの位置には、断面円弧状の周囲壁部を有する円形の凹部２８ａが形成されている。凹部２８ａの底部から前端にかけて、矩形状のボタン挿通孔２８ｂが左側壁部を貫通するように形成されている。ボタン挿通孔２８ｂには、操作手段としてのプッシュ式の解除ボタン４１が移動可能に挿通されている。解除ボタン４１は、右方向に延びるロッド部４１ｃを有していて、その先端部（左端部）がプラグ本体２０外に突出した位置（以下、ボタン基準位置ともいう）でプラグ本体２０に抜け止めされている。この解除ボタン４１は、ロッド部４１ｃ周りの解除ボタンばね４２（図２参照）によって常時突出方向に付勢されている。すなわち、解除ボタン４１は、操作力が与えられたときにプラグ本体２０内に押し込まれ、その操作力が解除されると、突出位置に復帰するように構成されている。
【００３９】
（アタッチメント）
【００４０】
次に、アタッチメントについて説明を行う。アタッチメントの本体３００は、プラグの本体における栓刃が突設する所定面に当接する平板上の基部３０１と、基部３０１の両側から前記栓刃の突出方向とは反対の方向に延設される腕部３０２とを備えている。
【００４１】
基部３０１と腕部３０２とは、プラグ本体の上下方向に沿って高さを持って平板形状に形成されており、基部３０１の高さに対して、腕部３０２の高さは約２分の１に形成されている。
【００４２】
前記腕部３０２は、その先端部において前記プラグの本体２０の側面に形成された凹部２０ｂ５に係合する係合部を備えている。係合部は、端部が鍵爪状に形成されており、腕部同士の対向方向に返し部が形成されている。この返し部によって、前記凹部の凹み部に係りやすくなっている。
【００４３】
また、腕部３０２の基部３０１と係合部３０２ａとの間においてプラグの本体２０の段差部２０ｂ３に当接してプラグの本体を支持する本体支持部３０２ｂとが設けられている。本体支持部３０２ｂは、略円筒形状をしたプラグ本体の外郭に沿って曲線状に形成されており、当接する面積が増加するように形成している。
【００４４】
また、腕部３０２の本体支持部３０２ｂと基部３０１との間には、前記ベース部２０ｂ２の前記幅方向の側面を支持するベース部２０ｂ２の支持部３０２ｃが設けられている。ベース部の支持部３０２ｃは、腕部３０２同士が対向する方向にリブを突設させて形成している。腕部３０２は平板状に形成しているから、腕部３０２同士が対向する方向に対しては、弾力的に変位が可能であり、腕部３０２に設けられた係合部３０２ａ、本体ｓ時事分岐開閉器３０２ｂ、ベース部の支持部３０２ｃによって、プラグ本体２０を両側面からしっかりと支持することができる。
【００４５】
基部３０１によって、プラグ本体２０と造営材等に配設されたコンセントへの当接性を向上させて、プラグ本体をコンセントに差し込み接続した後も、接続信頼性を維持することができる。
【産業上の利用可能性】
【００４６】
本発明は、栓刃から得た電力を負荷側電路に供給するコンセントを本体に併せ持つプラグの略円筒形状に形成された本体をしっかりと支持することができる。それ故、本発明は、漏電検知機能や遮断機能等を内部に備えた差込プラグ形の漏電遮断器のほか、他の機能を備えたプラグに対しても幅広く適用され有用である。
【符号の説明】
【００４７】
１０  プラグ
２０  本体
２０ａ  内容物収容部
２０ｂ  内容物収容部
２０ｂ２  ベース部
２０ｂ３  段差部
３００  アタッチメント
３０１  基部
３０２  腕部
３０２ａ  係合部
３０２ｂ  本体支持部
３０２ｃ  ベース部の支持部
【図１】
2020017533.tif 000003
【図２】
2020017533.tif 000004
【図３】
2020017533.tif 000005
【図４】
2020017533.tif 000006
【図５】
2020017533.tif 000007
【図６】
2020017533.tif 000008
【図７】
2020017533.tif 000009